(57)【特許請求の範囲】
【請求項１】
筐体と、
前記筐体内に収納可能に設けられた複数の装飾体と、
前記複数の装飾体を前記筐体内から筐体外部の少なくとも一方向に送り出し、当該送り出された複数の装飾体を前記筐体内に収納させ、当該送り出し動作時または収納動作時に、前記複数の装飾体それぞれに対して各々相対速度が異なるように、前記複数の装飾体を駆動する駆動手段と、を有し
前記駆動手段は、前記各装飾体に対応して設けられ、所定の位置に係合部が形成されている回転体と、一側が前記装飾体に固定され、他端側が前記回転体に形成されている係合部と係合可能な被係合部を有する可動体とを有し、
前記装飾体は、前記回転体の係合部と前記可動体の被係合部とが係合状態にあるとき、前記回転体の回転によって移動される
からくり装置。
【請求項２】
前記駆動手段は、前記筐体内から送り出される距離に応じて前記各装飾体を駆動する
請求項１記載のからくり装置。
【請求項３】
前記駆動手段は、前記筐体内から最遠部に送り出される装飾体がそれ以外の装飾体に対して最も速い相対速度となるように、当該装飾体を駆動する
請求項２記載のからくり装置。
【請求項４】
前記係合部は、前記回転体の回転中心との距離が前記各装飾体に応じてそれぞれ異なるように設けられている
請求項１，２または３記載のからくり装置。
【請求項５】
前記各装飾体に対応して設けられた各回転体には、外周部に各々の回転体に係合可能な係合部が形成されており、
当該係合部が形成された回転体は、少なくとも一の回転体を回転させることにより回転される
請求項１，２，３または４記載のからくり装置。
【請求項６】
前記各装飾体には、前記複数の装飾体が前記駆動手段によって送り出されるとき、前記装飾体に設けられた装飾部が当該送り出し動作に応じて順次表出するように、当該装飾部を遮蔽する遮蔽部が形成されている
請求項１，２，３，４，または５記載のからくり装置。
【請求項７】
文字盤と、
筐体と、前記筐体内に収納可能に設けられた複数の装飾体と、前記複数の装飾体を前記筐体内から筐体外部の少なくとも一方向に送り出し、当該送り出された複数の装飾体を前記筐体内に収納させ、前記複数の装飾体の送り出し動作時または前記筐体内への収納動作時に、前記複数の装飾体それぞれに対して各々相対速度が異なるように前記複数の装飾体を駆動する駆動手段とを有するからくり装置とを備え、
前記文字盤は、前記複数の装飾体が前記駆動手段によって送り出されたときに、前記各装飾体に設けられた装飾部と当該文字盤正面部とがそれぞれ視認可能な位置に配置され、
前記駆動手段は、前記各装飾体に対応して設けられ、所定の位置に係合部が形成されている回転体と、一側が前記装飾体に固定され、他端側が前記回転体に形成されている係合部と係合可能な被係合部を有する可動体とを有し、
前記装飾体は、前記回転体の係合部と前記可動体の被係合部とが係合状態にあるとき、前記回転体の回転によって移動される
時計装置。
【発明の詳細な説明】
【０００１】
【発明の属する技術分野】
本発明は、筐体内から装飾体が繰り出されるからくり装置およびそれを用いた時計装置に関する。
【０００２】
【従来の技術】
時計装置の報時動作時に視覚的な美観や趣味性、面白味を付加するため、装飾体等を時計装置の筐体内部から外部に表出させるようにしたからくり時計装置が、一般に知られている。
【０００３】
このようなからくり時計装置としては、例えば、特開平３−１１３３９２号公報に開示されているものがある。このからくり時計装置は、正時信号が入力されると、筐体の両側に設けられたステージが両外側方向に繰り出されるように構成されている。ステージが繰り出されるとステージ上に配置された装飾体が表出し、それにより周囲の人々を楽しませる構成となっている。
【０００４】
【発明が解決しようとする課題】
しかしながら、上述したような従来のからくり時計装置は、一般に、単に筐体内部から外部方向に装飾体が表出される構成であるため、からくり装置としては動作が比較的平凡で、かつ、単調であり、からくり動作に意外性がやや乏しいと言える。したがって、ユーザーを退屈させることのないからくり装置の出現が待たれている。
【０００５】
本発明は、上述した事情に鑑みてなされたものであり、コンパクトでありながら、意外性や面白味のあるからくり動作を行えるからくり装置およびそれを用いた時計装置を提供することにある。
【０００６】
【課題を解決するための手段】
上記目的を達成するために、本発明のからくり装置は、筐体と、前記筐体内に収納可能に設けられた複数の装飾体と、前記複数の装飾体を前記筐体内から筐体外部の少なくとも一方向に送り出し、当該送り出された複数の装飾体を前記筐体内に収納させ、当該送り出し動作時または収納動作時に、前記複数の装飾体それぞれに対して各々相対速度が異なるように、前記複数の装飾体を駆動する駆動手段と、を有し、前記駆動手段は、前記各装飾体に対応して設けられ、所定の位置に係合部が形成されている回転体と、一側が前記装飾体に固定され、他端側が前記回転体に形成されている係合部と係合可能な被係合部を有する可動体とを有し、前記装飾体は、前記回転体の係合部と前記可動体の被係合部とが係合状態にあるとき、前記回転体の回転によって移動される。
【０００７】
本発明のからくり装置では、前記駆動手段は、前記複数の装飾体が前記駆動手段によって送り出されるときまたは前記筐体内へ収納されるとき、前記筐体内から送り出される距離に応じて前記各装飾体を駆動する。
【０００８】
また本発明のからくり装置では、前記駆動手段は、前記係合部は、前記回転体の回転中心との距離が前記各装飾体に応じてそれぞれ異なるように設けられている。
【０００９】
本発明の時計装置は、文字盤と、筐体と、前記筐体内に収納可能に設けられた複数の装飾体と、前記複数の装飾体を前記筐体内から筐体外部の少なくとも一方向に送り出し、当該送り出された複数の装飾体を前記筐体内に収納させ、前記複数の装飾体の送り出し動作時または前記筐体内への収納動作時に、前記複数の装飾体それぞれに対して各々相対速度が異なるように前記複数の装飾体を駆動する駆動手段とを有するからくり装置とを備え、前記文字盤は、前記複数の装飾体が前記駆動手段によって送り出されたときに、前記各装飾体に設けられた装飾部と当該文字盤正面部とがそれぞれ視認可能な位置に配置され、前記駆動手段は、前記各装飾体に対応して設けられ、所定の位置に係合部が形成されている回転体と、一側が前記装飾体に固定され、他端側が前記回転体に形成されている係合部と係合可能な被係合部を有する可動体とを有し、前記装飾体は、前記回転体の係合部と前記可動体の被係合部とが係合状態にあるとき、前記回転体の回転によって移動される。
【００１０】
本発明のからくり装置によれば、駆動手段によって複数の装飾体が筐体内から筐体外部の所定の一方向に送り出される。このとき、複数の装飾体それぞれは、駆動手段によって各々相対速度が異なるように駆動される。なお、各装飾体の相対速度は駆動手段によって前記筐体内から送り出される距離に応じて変化させられ、例えば、筐体から最も遠くへ送り出される装飾体の相対速度が最も速くなるように駆動される。これにより、装飾体に設けられ装飾部が駆動手段によって送り出されるのにともなって順次外部に表出されることになり、面白味のあるからくり動作が行われる。
【００１１】
各装飾体が筐体外部へ送り出されると、次に駆動手段によって各装飾体の筐体内部への収納動作が行われる。この収納動作の場合にも、送り出し動作と同様に例えば、筐体から最も遠くへ送り出された装飾体の相対速度が最も速くなるように駆動手段によって駆動される。これにより、各装飾体の収納動作においても、装飾体に設けられた装飾部が順次姿を消すことになり、からくり動作に面白味が付加される。
【００１２】
本発明の時計装置によれば、文字盤が、例えば正午等の正時状態となり制御回路から正時信号が出力されると、駆動手段を駆動する例えば、駆動モータに電源が印加される。複数の装飾体は、電源が印加された駆動手段によって筐体内から筐体外部の所定の一方向に送り出される。このとき、複数の装飾体それぞれは、駆動手段によって各々相対速度が異なるように駆動される。なお、各装飾体の相対速度は駆動手段によって前記筐体内から送り出される距離に応じて変化させられ、例えば、筐体から最も遠くへ送り出される装飾体の相対速度が最も速くなるように駆動される。これにより、装飾体に設けられ装飾部が駆動手段によって送り出されるのにともなって順次外部に表出されることになり、面白味のあるからくり動作が行われる。
【００１３】
各装飾体が筐体外部へ送り出された後、例えば制御回路内に設けられたタイマー回路がオン状態となり、装飾部が所定の時間だけ外部に表出した状態となる。、その後タイマーがオフ状態になると、駆動手段によって各装飾体の筐体内部への収納動作が行われる。この収納動作の場合にも、送り出し動作と同様に例えば、筐体から最も遠くへ送り出された装飾体の相対速度が最も速くなるように駆動手段によって駆動される。これにより、各装飾体の収納動作においても、装飾体に設けられた装飾部が順次姿を消すことになり、からくり動作に面白味が付加される。
【００１４】
【発明の実施の形態】
以下に、本発明の一実施の形態について図面に基づいて説明する。
図１は、本発明に係るからくり時計装置の一実施の形態を示す正面図、図２は、図１に示すからくり時計装置の側面図、図３は、図１に示すからくり時計装置の装飾体側の内部の状態を説明するための図、図４は、図１に示すからくり時計装置のからくり装置の駆動部を説明するための図、図５（ａ）は、図１に示すからくり時計装置の第１の装飾体の側面図、図５（ｂ）は、第１の装飾体の背面図、図６（ａ）は、第２の装飾体の側面図、図６（ｂ）は、第２の装飾体の背面図、図７は、第１および第２の装飾体がからくり装置の筐体外方向へ送り出される状態を説明するための正面図、図８は、図７に示す第１および第２の装飾体が完全に送り出された状態を説明するための図である。
【００１５】
本実施の形態のからくり時計装置１は、図１および図２に示すように、時計装置２と、時計装置２の正時信号が図示しない制御回路へ入力されたときにからくり動作を行うからくり装置３とで構成されている。
時計装置２は、時計装置２の筐体２１の裏面部２１ｂとからくり装置３の筐体３１の正面部３１ａとを当接させた状態で配置されており、時計装置２の配置位置については、筐体３１内の後述する装飾体の装飾部としての人形体が外部に表出したときに、時計装置２の文字盤２２の正面側から見た場合、文字盤２２だけでなくそれらの人形体すべてが視認できる位置である。
【００１６】
時計装置２は、からくり装置３に対して脱着可能であり、筐体正面部３１ａに設けられた係止部３２ａ，３２ｂが時計装置２の筐体２１の外周部に設けられた被係止部２３ａ，２３ｂに嵌合することによって時計装置２が係止される構成となっている。なお、時計装置２を脱着可能に構成した理由は、時計装置２の指針２３に狂いが生じた場合に時計装置を２を取り外すことによって時計装置２の裏面側に設けられた図示しない針合わせを調整できるようにするためである。
【００１７】
からくり装置３内の後述する装飾体は、時計装置２からの正時信号を図示しない制御回路が受け取った場合にのみからくり動作を行うように構成されている。このため、からくり装置３の係止部３２ａ，３２ｂとそれに対応する被係止部２３ａ，２３ｂは、いずれか一方または両方とも、正時信号等の信号の入出力ができるようにコネクタ化された状態となっている。
【００１８】
本実施の形態では、係止部３２ａの内部には図示しないオス型の複数のピンが設けられ、被係止部２３ａの内部には係止部３２ａ内に設けられた各ピンに嵌合される図示しないメス型のピンが設けられている。
それぞれのピンは、被係合部２３ａを筐体正面部３１ａ方向から係止部３２ａに差し込むことによって互いに嵌合され、これにより、時計装置２とからくり装置３とが電気的に結合されることになる。
係止部３２ｂと被係止部２３ｂは、係止部３２ａと被係止部２３ａとを正確に位置決めさせると同時に、時計装置２をからくり装置３に確実に固定できるように構成されている。
【００１９】
からくり装置３は、筐体３１と、既に述べたように筐体正面部３１ａに設けられた係合部３２と、図７および図８に示すように、図中右側方向に筐体３１から最も遠方へ送り出される第１の装飾体３３と、筐体３１に最も近い位置に送り出される第２の装飾体３４と、第１の装飾体３３および第２の装飾体３４が送り出される方向に対して逆方向に送り出される第３の装飾体３５および第４の装飾体３６と、図示しない駆動モータが駆動されたときに、駆動モータの回転数を減速するギヤボックス３７と、減速された回転状態を第１〜第４の装飾体にそれぞれ伝達して各装飾体を送り出す歯車列３８と、第１および第３の装飾体が筐体３１から最遠部に達した状態または第１および第３の装飾体が筐体３１内に収納された状態を検出して図示しない制御回路に駆動モータの回転を停止信号を出力するリミットスイッチ３９とで構成されている。
【００２０】
筐体３１は、図２に示すように、筐体正面部３１ａを含む第１の筐体３１１と、筐体裏面部３１ｂを含む第２の筐体３１２とで構成され、第２の筐体３１２は第１の筐体３１１に対して複数箇所ビス止めされ、固定されている。
第１の筐体３１１の四隅には、それぞれ箱部３１３ａ〜３１３ｄが形成されており、その内部には人形体３１４〜３１７がそれぞれ配置されている。
【００２１】
第１の筐体３１１には、図３に示すように、第１の装飾体３３に固着された第１の可動体３３１の動作を案内するガイド部３１１ａが形成され、また第３の装飾体３５に固着された第３の可動体３５１の動作を案内するガイド部３１１ｂが形成されている。
【００２２】
第１の装飾体３３は、図５に示すように、２箇所の箱部３３ａ，３３ｂが形成されており、その内部には人形体３３２，３３３がそれぞれ配置されている。
また箱部３３ａの底面部には第１の可動体３３１が固着され、これにより第１の可動体３３１の動きに応じて第１の装飾体３３が移動可能となる。
第１の装飾体３３の箱部３３ａ，３３ｂ以外の領域３３ｃ，３３ｄ，３３ｅ，３３ｆ，３３ｇは、箱部３３ａ，３３ｂの開口部分と同一平面となるように構成されている。
【００２３】
領域３３ｃ，３３ｄ，３３ｅはそれぞれ、第２の装飾体３４の後述する箱部内に配置された人形体を当初、外部から遮蔽する装飾部としてのスライドドアとして設けられており、図７および図８に示すように、第１の装飾体３３の送り出し動作にしたがって、遮蔽状態が解除され人形体が外部に視認可能になる。なお、３３ｆおよび３３ｇには上述した働きはないが、第１の装飾体３３の送り出し動作を第２の装飾体３４に対してスムーズに行えるようにする役割がある。
【００２４】
第２の装飾体３４は、図６に示すように、３箇所の箱部３４ａ，３４ｂ，３４ｃが形成されており、その内部には人形体３４２，３４３，３４４がそれぞれ配置されている。
また箱部３４ｂの底面部には第２の可動体３４１が固着され、これにより第２の可動体３４１の動きに応じて第２の装飾体３４が移動可能となる。
第２の装飾体３４の箱部３４ａ，３４ｂ，３４ｃ以外の領域３４ｄ，３４ｅは、箱部３４ａ，３４ｂ，３４ｃのそれぞれの開口部分と同一平面となるように構成されている。
【００２５】
領域３４ｄ，３４ｅはそれぞれ、筐体３１に設けられた箱部３１３ａ，３１３ｂ内に配置された人形体３１４，３１５を当初外部から遮蔽する装飾部としてのスライドドアとして設けられており、図７および図８に示すように、第２の装飾体３４の送り出し動作にしたがって、遮蔽状態が解除され人形体が外部に視認可能になる。
【００２６】
第３の装飾体３５も第１の装飾体３３と同様に、図３に示すように、箱部３５ａ，３５ｂが形成されており、その内部には図示しない人形体がそれぞれ配置されている。
また箱部３５ａの底面部には第３の可動体３５１が固着され、これにより第３の可動体３５１の動きに応じて第３の装飾体３５が移動可能となる。
【００２７】
第３の装飾体３５の箱部３５ａ，３５ｂ以外の領域３５ｃ，３５ｄ，３５ｅ，は、第１の装飾体３３と同様に、箱部３５ａ，３５ｂの開口部分と同一平面となるように構成され、第４の装飾体３６の後述する箱部内に配置された図示しない人形体を外部から遮蔽する装飾部としてのスライドドアとして設けられている。第３の装飾体３５の送り出し動作にしたがって、遮蔽状態が解除され第４の装飾体３６の図示しない人形体が外部に視認可能になる。
【００２８】
第４の装飾体３６は、図３に示すように、３箇所の箱部３６ａ，３６ｂ，３６ｃが形成されており、その内部には図示しない人形体３６２，３６３，３６４がそれぞれ配置されている。
また箱部３６ｂの底面部には第４の可動体３６１が固着され、これにより第４の可動体３６１の動きに応じて第４の装飾体３６が移動可能となる。
第４の装飾体３６の箱部３６ａ，３６ｂ，３６ｃ以外の領域３６ｄ，３６ｅは、箱部３６ａ，３６ｂ，３６ｃのそれぞれの開口部分と同一平面となるように構成されている。
【００２９】
領域３６ｄ，３６ｅはそれぞれ、筐体３１に設けられた箱部３１３ｃ，３１３ｄ内に配置された人形体３１６，３１７を当初外部から遮蔽する装飾部としてのスライドドアとして設けられており、第４の装飾体３６の送り出し動作にしたがって、遮蔽状態が解除され人形体が外部に視認可能になる。
【００３０】
第１の可動体３３１には、図５に示すように、第２の筐体３１２に軸支され、第１の装飾体３３を移動させる回転体４３上に形成された係合部４３ａと係合する溝部３３１ａが形成されている。
溝部３３１ａは、回転体４３が回転したときの係合部４３ａの移動状態に応じて形成された長穴となっている。
【００３１】
第２の可動体３４１には、図６に示すように、第２の筐体３１２に軸支され、第２の装飾体３４を移動させる回転体４４上に形成された係合部４４ａと係合する溝部３４１ａが形成されている。
溝部３４１ａは、回転体４４が回転したときの係合部４４ａの移動状態に応じて形成された長穴となっている。
【００３２】
第３の可動体３５１には、図３に示すように、第２の筐体３１２に軸支され、第３の装飾体３５を移動させる回転体４５上に形成された係合部４５ａと係合する溝部３５１ａが形成されている。
溝部３５１ａは、回転体４５が回転したときの係合部４５ａの移動状態に応じて形成された長穴となっている。
【００３３】
回転体４５の円周部には、第１の装飾体３３および第３の装飾体３５が筐体３１から最遠部に達した状態または筐体３１内に収納された状態を検出するために、図示しない制御回路に駆動モータの回転を停止信号を出力するリミットスイッチ３９のアクチュエータ部と係合する係合部４５ｂ，４５ｃが形成されている。
【００３４】
第４の可動体３６１には、図３に示すように、第２の筐体３１２に軸支され、第４の装飾体３６を移動させる回転体４６上に形成された係合部４６ａと係合する溝部３６１ａが形成されている。
溝部３６１ａは、回転体４６が回転したときの係合部４６ａの移動状態に応じて形成された長穴となっている。
【００３５】
回転体４３，４４，４５，４６は、それぞれギヤボックス３７にて減速された回転数に応じて、歯車列３８を介して回転駆動され、それぞれの係合部および溝部を介して第１〜第４の装飾体を作動させる。
【００３６】
図４に示すように、第１の装飾体３３を作動させる回転体４３に形成された係合部４３ａと回転体４３の回転中心Ｏ１との距離Ｒ１は、第２の装飾体３４を作動させる回転体４４に形成された係合部４４ａと回転体４４の回転中心Ｏ２との距離Ｒ２よりも大きく設定されている。これにより、回転体４３と回転体４４との回転速度が同じであっても、係合部４３ａと係合部４４ａとの移動距離が相違するから、第１の装飾体３３の動きが第２の装飾体３４の動きより速く動くことになる。
【００３７】
本実施の形態では、距離Ｒ１は距離Ｒ２の２倍に設定されていることから、第１の装飾体３３は第２の装飾体３４に対して相対速度が２倍になる。また、第３の装飾体３５と第４の装飾体３６も同様に相対速度が２倍になる。
これにより、例えば、第１の装飾体のスライドドアとしての領域３３ｃに第２の装飾体の箱部３４ａが完全に覆われることになるから、各装飾体は、送り動作時においてはより大きく展開され、また、収納動作時においてはからくり装置筐体３１内によりコンパクトに収納される。
【００３８】
次に、本実施の形態におけるからくり時計装置１の動きについて、図面を用いて説明する。
からくり時計装置１が、例えば正午等の所定の時刻になった場合、時計装置２内で正時信号が発生し、正時信号は図示しない制御回路内に入力される。
正時信号が制御回路内に入力されると、制御回路はからくり装置３内に設けられた図示しない駆動モータに対して所定の電流を印加させる。
【００３９】
電流が印加された駆動モータは所定の回転速度で回転し、その回転速度はギアボックス３７を介して減速され、減速された状態で歯車列３８に伝達される。
歯車列３８はそれぞれ複数の歯車を介して回転体４４，４５，４６，４７を同じ速度で、図４に示す矢印の方向に回転させる。
【００４０】
以下、第１の装飾体３３と第２の装飾体３４の動きについて説明する。
なお、第３の装飾体３５および第４の装飾体４６については、動作方向が第１の装飾体３３および第２の装飾体３４に対して逆方向となるだけであるから、特に説明は行わない。
【００４１】
回転体４３が矢印Ａの方向に回転すると、第１の可動体３３１に形成された溝部３３１ａ内を係合部４３ａが図中下側方向に動かされる。これに応じて、第１の装飾体３３が筐体３１内から外部方向へ移動を開始する。
同様に、回転体４４が矢印Ｂ方向に回転すると、第２の可動体３４１に形成された溝部３４１ａ内を係合部４４ａが図中下側方向に動かされる。これに応じて、第２の装飾体３４が筐体３１内から外部方向へ移動を開始する。
【００４２】
このとき、係合部４３ａと回転体４３の回転中心Ｏ１との距離Ｒ１は、係合部４４ａと回転体４４の回転中心Ｏ２との距離Ｒ２よりも大きく設定されている。
したがって、回転体４３と回転体４４とが等速度で回転した場合でも、係合部４３ａの方が係合部４４ａよりも移動距離が長いから速い速度で動くことになる。  つまり、第１の装飾体３３は第２の装飾体３４よりも常に速い速度で動くことになる。
【００４３】
図７に示すように、第１の装飾体３３が、第１の装飾体３３の箱部３３ａ，３３ｂ内に配置された人形体３３２，３３３が完全に露出する位置まで移動したとき、第２の装飾体３４は、筐体３１に形成された箱部３１３ａ，３１３ｂ内の人形体３１４，３１５が略半分だけ露出した状態となっている。
【００４４】
係合部４３ａが図５（ｂ）に示す位置に対して対称側の位置、つまり係合部４３ａが１８０度移動した状態になると、第１の装飾体３３は筐体３１から最も遠い位置に配置される。
このとき、回転体４５に設けられた係合部４５ｂとリミットスイッチ３９のアクチュエータ部とが係合し、リミットスイッチ３９のオン状態が遮断される。これにより、図示しない駆動モータへの電流の印加が中止される。
【００４５】
上述した第１の装飾体３３および第２の装飾体３４の状態は、図８に示される。なお、この状態に至る過程において、まず第１の装飾体３３の箱部３３ａ，３３ｂ内に配置された人形体３３２，３３３が筐体３１の外部に表出され、それにともない第２の装飾体３４の箱部３４ａ，３４ｂ，３４ｃ内に配置された人形体３４２，３４３，３４４が表出され、さらに最後に箱部３１３ａ，３１３ｂ内に配置された人形体３１４，３１５が表出される。
【００４６】
回転体４５の外周部に形成された係合部４５ｂとリミットスイッチ３９のアクチュエータ部とが係合し、リミットスイッチ３９のオン状態が遮断されると、制御回路内に設けられたタイマー回路が作動してオン状態となり、各人形体が所定の時間だけ外部に対して表出される。
【００４７】
タイマー回路がオフ状態になると駆動モータに再び電流が印加される。
駆動モータの回転により回転体４３，４４は再び、矢印Ａ，Ｂ方向にそれぞれ回転駆動され、第１の装飾体３３および第２の装飾体３４の筐体３１内への収納動作が行われる。
収納動作についても、上述した理由によって第１の装飾体３３が最も速く収納され、続いて第２の装飾体３４が収納される。したがって、最後の段階で、人形体３１４，３１５が第２の装飾体３４に形成された遮蔽板としての領域３４ｄ，３４ｅによって外部から遮蔽されることになる。
【００４８】
回転体４５が回転し、回転体４５の外周部に形成された４５ｃとリミットスッチ３９のアクチュエータ部とが係合すると、リミットスイッチ３９のオン状態が遮断され、駆動モータへの電流の印加が停止される。
以上によりからくり装置３の動作が完了し、次の正時信号が入力されるまで待機状態となる。
【００４９】
以上説明した実施の形態では、１つの駆動モータですべての装飾体を動作させる構成となっているが、各装飾体を左側および右側でそれぞれ独立して動作できるように、駆動モータを別々に設けてもよい。
さらには、各装飾体に対応して設けられた回転体を単独で回転させる駆動モータを取り付けて、各装飾体が別々のタイミングで動作できるようにしてもよい。このときには、可動体および回転体をラックアンドピニオンとして構成することが望ましい。
【００５０】
本実施の形態では、第１の装飾体３３と第２の装飾体３４、および、第３の装飾体３５と第４の装飾体３６がそれぞれ筐体３１側面部から送り出される構成となっているが、筐体３１の大きさや人形体のサイズを変えるなどして、多くの装飾体が送り出される構成としてもよい。
【００５１】
以上説明したように、本実施の形態のからくり時計装置１によれば、第１〜第４の装飾体３３〜３６それぞれに対応して、回転体４３〜４６、回転体４３〜４６上に形成された係合部４３ａ〜４６ａ、および、第１〜第４の可動体３３１，３４１，３５１，３６１とを設け、また、係合部４３ａと回転体４３の回転中心との距離と係合部４４ａと回転体４４の回転中心との距離、および、係合部４５ａとと回転体４５の回転中心との距離と係合部４６ａと回転体４６の回転中心との距離がそれぞれ異なるように各係合部を形成させた。これにより、各回転体の回転によってその回転体に該当する装飾体が送り出され、各装飾体はそれぞれの相対速度が異なった状態で送り出される。このため、各装飾体に配置された人形体が次々と外部に表出されることになり、面白味のある意外性、趣味性に富んだからくり時計装置１が実現できる。
【００５２】
【発明の効果】
本発明のからくり装置によれば、筐体内から送り出される装飾体において、同一方向へ送り出される各装飾体は、それぞれ相対速度が異なった状態で送り出される。これにより、装飾体の装飾部が装飾体の送り出しに応じて順次表出することになり、面白味のある意外性、趣味性に富んだからくり装置が実現できる。
またこのからくり装置のからくり動作を時計装置の報時動作として使用すれば、面白味のある意外性、趣味性に富んだからくり時計装置が実現できる。
【図面の簡単な説明】
【図１】本発明に係るからくり時計装置の一実施の形態を示す正面図である。
【図２】図１に示すからくり時計装置の側面図である。
【図３】図１に示すからくり時計装置の装飾体側の内部の状態を説明するための図である。
【図４】図１に示すからくり時計装置のからくり装置の駆動部を説明するための図である。
【図５】（ａ）は図１に示すからくり時計装置の第１の装飾体の側面図であり、（ｂ）は第１の装飾体の背面図である。
【図６】（ａ）は第２の装飾体の側面図であり、（ｂ）は第２の装飾体の背面図である。
【図７】第１および第２の装飾体がからくり装置の筐体外方向へ送り出される状態を説明するための正面図である。
【図８】図７に示す第１および第２の装飾体が完全に送り出された状態を説明するための図である。
【符号の説明】
１…からくり時計装置
２…時計装置
３…からくり装置
２１…時計装置筐体
２２…文字盤
２３…係止部
２４…指針
３１…からくり装置筐体
３２…被係止部
３３〜３６…第１〜第４の装飾体
３７…ギヤボックス
３８…歯車列
３９…リミットスイッチ
４３〜４６…回転体
４３ａ〜４６ａ…係合部
３１４〜３１７，３３２，３３３，３４２〜３４４…人形体
３３１…第１の可動体
３３１ａ…溝部
３４１…第２の可動体
３４１ａ…溝部
３５１…第３の可動体
３５１ａ…溝部
３６１…第４の可動体
３６１ａ…溝部
【図１】
0003609930.tif 000002
【図２】
0003609930.tif 000003
【図３】
0003609930.tif 000004
【図４】
0003609930.tif 000005
【図５】
0003609930.tif 000006
【図６】
0003609930.tif 000007
【図７】
0003609930.tif 000008
【図８】
0003609930.tif 000009